(57)【要約】  複数段に積層された半導体チップ同士を電気的に接続しても、半導体チップの回路構成を変えることを要せず、またコンバーター回路の搭載も要せずに使用することができるチップ積層型半導体装置を提供する。  半導体チップ（４）に設けられた貫通配線（５）が、バンプ（３）を介して厚膜配線から電源及びグランドの供給を受ける。上に位置する半導体チップ（４）の所望の箇所に電源及びグランドを短い経路で供給することが可能になるとともに、再配線が不要となるので配線抵抗が高くなるという問題が生じない。このため、半導体装置の動作安定性を高められる。【特許請求の範囲】
【請求項１】
インターポーザー基板と、前記インターポーザー基板上に２段以上に重ねて搭載された複数個の半導体チップとを有し、前記半導体チップのうち少なくとも１つは複数個の貫通配線を有し、少なくとも１つの前記半導体チップは前記貫通配線を介して少なくとも１個の電源及びグランドが前記インターポーザー基板から供給されていることを特徴とするチップ積層型半導体装置。
【請求項２】
インターポーザー基板と、前記インターポーザー基板の上方に設けられ、上面に回路面及び厚膜配線を備えた第１の半導体チップと、前記第１の半導体チップの上方に設けられ、複数の貫通配線及び上面に回路面を備えた第２の半導体チップと、前記複数の貫通配線及び前記厚膜配線の間を電気的に接続する複数のバンプと、前記インターポーザー基板と前記厚膜配線を電気的に接続するボンディングワイヤとを有し、前記ボンディングワイヤ、前記厚膜配線、前記複数のバンプ及び前記複数の貫通配線を介して前記第２の半導体チップの回路面に少なくとも１個の電源及びグランドが前記インターポーザー基板から供給されていることを特徴とするチップ積層型半導体装置。
【請求項３】
インターポーザー基板と、前記インターポーザー基板の上方に設けられ、上面に回路面及び厚膜配線を備えた第１の半導体チップと、前記第１の半導体チップの上方に設けられ、複数の貫通配線及び下面に回路面を備えた第２の半導体チップと、前記第２の半導体チップ及び前記厚膜配線の間を電気的に接続する複数のバンプと、前記インターポーザー基板と前記厚膜配線を電気的に接続するボンディングワイヤとを有し、前記ボンディングワイヤ、前記厚膜配線及び前記複数のバンプを介して前記第２の半導体チップの回路面に電源及びグランドが前記インターポーザー基板から供給され、前記複数の貫通配線及び前記ボンディングワイヤを介して前記第２の半導体チップの回路面と前記インターポーザー基板との間の電気信号の伝送が行われることを特徴とするチップ積層型半導体装置。
【請求項４】
前記厚膜配線の厚さと前記複数のバンプの高さが同一であることを特徴とする請求項２又は３に記載のチップ積層型半導体装置。
【請求項５】
前記厚膜配線と前記複数のバンプがめっきにより形成されていることを特徴とする請求項４に記載のチップ積層型半導体装置。
【請求項６】
インターポーザー基板と、前記インターポーザー基板の上方に設けられ、複数の貫通配線を備えた第１の半導体チップと、前記第１の半導体チップの上方に設けられ、下面に回路面を備えた第２の半導体チップと、前記複数の貫通配線及び前記インターポーザー基板を電気的に接続する複数の第１のバンプと、前記複数の貫通配線及び前記第２の半導体チップを電気的に接続する複数の第２のバンプとを有し、前記複数の第１のバンプ、前記複数の貫通配線及び前記第２のバンプを介して前記第２の半導体チップの回路面に少なくとも１個の電源及びグランドを前記インターポーザー基板から供給することを特徴とするチップ積層型半導体装置。
【請求項７】
インターポーザー基板と、前記インターポーザー基板の上方に設けられ、上面に回路面及び厚膜配線を備えた第１の半導体チップと、前記第１の半導体チップの上方に設けられ、複数の貫通配線を備えたスペーサ−と、前記スペーサ−の上方に設けられ、下面に回路面を備えた第２の半導体チップと、前記複数の貫通配線及び前記厚膜配線を電気的に接続する複数の第１のバンプと、前記複数の貫通配線及び前記第２の半導体チップを電気的に接続する複数の第２のバンプと、前記インターポーザー基板と前記厚膜配線を電気的に接続するボンディングワイヤとを有し、前記ボンディングワイヤ、前記厚膜配線、前記複数の第１のバンプ、前記複数の貫通配線及び前記複数の第２のバンプを介して前記第２の半導体チップの回路面に少なくとも１個の電源及びグランドを前記インターポーザー基板から供給することを特徴とするチップ積層型半導体装置。
【請求項８】
インターポーザー基板と、前記インターポーザー基板の上方に設けられ、複数の第１の貫通配線を備えた第１の半導体チップと、前記第１の半導体チップの上方に設けられ、複数の第２の貫通配線を備えたスペーサ−と、前記スペーサ−の上方に設けられ、下面に回路面を備えた第２の半導体チップと、前記インターポーザー基板及び前記複数の第１の貫通配線を電気的に接続する複数の第１のバンプと、前記複数の第１の貫通配線及び前記複数の第２の貫通配線を電気的に接続する複数の第２のバンプと、前記複数の第２の貫通配線及び前記第２の半導体チップを電気的に接続する複数の第３のバンプとを有し、前記複数の第１のバンプ、前記複数の第１の貫通配線、前記複数の第２のバンプ、前記複数の第２の貫通配線及び前記複数の第３のバンプを介して前記第２の半導体チップの回路面に少なくとも１個の電源及びグランドを前記インターポーザー基板から供給することを特徴とするチップ積層型半導体装置。
【請求項９】
インターポーザー基板と、前記インターポーザー基板の上方に設けられ、上面に回路面及び厚膜配線を備えた第１の半導体チップと、前記第１の半導体チップの上方に設けられ、複数の貫通配線を備えた第２の半導体チップと、前記第２の半導体チップの上方に設けられ、下面に回路面を備えた第３の半導体チップと、前記複数の貫通配線及び前記厚膜配線を電気的に接続する複数の第１のバンプと、前記複数の貫通配線及び前記第２の半導体チップを電気的に接続する複数の第２のバンプと、前記インターポーザー基板と前記厚膜配線を電気的に接続するボンディングワイヤとを有し、前記ボンディングワイヤ、前記厚膜配線、前記複数の第１のバンプ、前記複数の貫通配線及び前記複数の第２のバンプを介して前記第３の半導体チップの回路面に少なくとも１個の電源及びグランドを前記インターポーザー基板から供給することを特徴とするチップ積層型半導体装置。
【請求項１０】
前記電源及びグランドを供給する前記半導体チップごとの複数の配線は、前記半導体チップごとに並列に設けられ、前記インターポーザー基板内、前記半導体チップ内又は前記スペーサ−内の単一の配線に夫々並列に接続されていることを特徴とする請求項１乃至９のいずれか１項に記載のチップ積層型半導体装置。
【請求項１１】
前記貫通配線を介して、前記少なくとも１個の電源及びグランドに加えて、信号も伝送されることを特徴とする請求項１、２，６乃至９のいずれか１項に記載のチップ積層型半導体装置。
【発明の詳細な説明】
【技術分野】
【０００１】
本発明は半導体装置に関し、特にチップ積層型の半導体装置に関する。
【背景技術】
【０００２】
チップ積層型の半導体装置では、小型化、薄型化が求められ、１つのパッケージに複数のチップを実装することが重要な要素の一つとなっている。この目的のために、通常、チップの回路面上にもう１つのチップをフェイスアップで搭載し、ワイヤボンディングにより、リードフレーム及びインターポーザー基板に接続する構造のパッケージが開発されている。【０００３】
従来のチップ積層型の半導体装置においてメモリ容量を増すためになされている方法には、フェイスアップにチップを積層し、各々のチップをインターポーザー基板にワイヤボンディングにより接続するワイヤ積層型の方法と、チップ間の信号伝送を高速に行う必要のあるチップをフェイスダウンで搭載するチップオンチップ型の方法がある。【０００４】
ワイヤ積層型の半導体装置の組立はインターポーザー基板と各チップをワイヤで接続するため、その組立コストは比較的安価である。そのため、比較的低コストに実装密度を高める目的で使用するのに適している。積層された各チップは夫々インターポーザー基板と接続されるため、異なる電源電圧のチップを積層する場合でも、夫々の電圧を夫々のワイヤによって供給すれば良いという利点がある。【０００５】
図９は、従来のワイヤ積層型の半導体装置の断面図である。下に位置する半導体チップ２はボンディングワイヤ２ｂを介してインターポーザー基板１と電気的に接続しており、ボンディングワイヤ２ｂを介して電源及びグランドがインターポーザー基板１から供給され、また、半導体チップ２に入力される電気信号及び半導体チップ２から出力される電気信号もボンディングワイヤ２ｂを介してインターポーザー基板１との間を伝送される。上に位置する半導体チップ４はボンディングワイヤ４ｂを介してインターポーザー基板１と電気的に接続しており、ボンディングワイヤ４ｂを介して電源及びグランドがインターポーザー基板１から供給され、また、半導体チップ４に入力される電気信号及び半導体チップ４から出力される電気信号もボンディングワイヤ４ｂを介してインターポーザー基板１との間を伝送される。【０００６】
しかしながら、ワイヤ積層型のパッケージでは、積層した夫々のチップから一旦インターポーザー基板又はリードフレームに接続する必要がある。インターポーザー基板に接続した場合にはインターポーザー基板内で配線の引き回しが必要となり、リードフレームに接続した場合にはマザーボード内で配線の引き回しが必要となる。このため、配線が複雑化することからインターポーザー基板及びマザーボードのコストが高くなるといった問題点がある。【０００７】
また、電源及びグランドの接続では、通常、直径が２０乃至３０μｍのボンディングワイヤを使用するため低抵抗であり、安定するが、信号線についてはその接続により寄生容量が増すことになり伝送速度が低下するといった問題点がある。更に、インターポーザー基板の配線密度の問題点から高密度実装が困難になるという問題点がある。【０００８】
一方、チップオンチップ型の半導体装置では、チップ間の接続に用いられるバンプを介して接続するため、伝送距離が短く高速伝送が可能な利点及びワイヤループ高さの制約がなくなるためパッケージ厚を薄く抑えることができる利点等がある（例えば、特許文献１乃至４参照。）。【０００９】
図１０は、従来のチップオンチップ型の半導体装置の断面図である。下に位置する半導体チップ２と上に位置する半導体チップ４との間にはバンプ３が設けられ、両チップを電気的に接続している。半導体チップ２及び４に供給される電源及びグランド並びに電気信号はボンディングワイヤ２ｂを介して行われる。【００１０】
【特許文献１】特開２００２−２６１２３２号公報
【特許文献２】特開２００２−３０５２８２号公報
【特許文献３】特開２００３−１１００８４号公報
【特許文献４】特開２００３−２４９６２２号公報
【発明の開示】
【発明が解決しようとする課題】
【００１１】
しかし、チップオンチップ型のパッケージにおいては、上に位置する半導体チップはフェイスダウンで下に位置する半導体チップに接続され、電源及びグランドを含み信号線も全て下に位置する半導体チップと接続されることになるため、配線抵抗による電圧降下等を考慮して下に位置する半導体チップは上に位置する半導体チップを接続するために再配線する必要がある。通常の再配線では配線抵抗が高くなる等の問題があり、半導体装置に安定した電源供給をすることはできない。さらに異なる電源電圧のチップを搭載し、下チップと接続する場合、下チップにコンバーターを追加する必要が生じる等の設計変更が必要となり、コストが増加するとともに、汎用性が低下するという問題がある。【００１２】
本発明の目的は、チップオンチップ型の半導体装置において、複数段に積層された半導体チップ同士を電気的に接続しても、半導体チップの回路構成を変えることを要せず、またコンバーター回路の搭載も要せずに使用することができる動作安定性に優れたチップ積層型半導体装置を提供することにある。
【課題を解決するための手段】
【００１３】
本発明の第１の観点に係るチップ積層型半導体装置は、インターポーザー基板と、前記インターポーザー基板上に２段以上に重ねて搭載された２以上の半導体チップとを有する。前記半導体チップの少なくとも１つは複数の貫通配線を有し、前記２以上の半導体チップのうち少なくとも１以上の半導体チップに前記複数の貫通配線を介して少なくとも１個の電源及びグランドを前記インターポーザー基板から供給する。【００１４】
本発明の第２の観点に係るチップ積層型半導体装置は、インターポーザー基板と、前記インターポーザー基板の上方に設けられ、上面に回路面及び厚膜配線を備えた第１の半導体チップと、前記第１の半導体チップの上方に設けられ、複数の貫通配線及び上面に回路面を備えた第２の半導体チップと、前記複数の貫通配線及び前記厚膜配線の間を電気的に接続する複数のバンプと、前記インターポーザー基板と前記厚膜配線を電気的に接続するボンディングワイヤとを有する。前記ボンディングワイヤ、前記厚膜配線、前記複数のバンプ及び前記複数の貫通配線を介して前記第２の半導体チップの回路面に少なくとも１個の電源及びグランドを前記インターポーザー基板から供給する。【００１５】
本発明の第３の観点に係るチップ積層型半導体装置は、インターポーザー基板と、前記インターポーザー基板の上方に設けられ、上面に回路面及び厚膜配線を備えた第１の半導体チップと、前記第１の半導体チップの上方に設けられ、複数の貫通配線及び下面に回路面を備えた第２の半導体チップと、前記第２の半導体チップ及び前記厚膜配線の間を電気的に接続する複数のバンプと、前記インターポーザー基板と前記厚膜配線を電気的に接続するボンディングワイヤとを有する。前記ボンディングワイヤ、前記厚膜配線及び前記複数のバンプを介して前記第２の半導体チップの回路面に電源及びグランドを前記インターポーザー基板から供給し、前記複数の貫通配線及び前記ボンディングワイヤを介して前記第２の半導体チップの回路面と前記インターポーザー基板との間の電気信号の伝送を行う。【００１６】
前記厚膜配線と前記バンプの厚さは同じであることが好ましい。また、前記厚膜配線と前記バンプはめっきにより形成されていてもよい。【００１７】
本発明の第４の観点に係るチップ積層型半導体装置は、インターポーザー基板と、前記インターポーザー基板の上方に設けられ、複数の貫通配線を備えた第１の半導体チップと、前記第１の半導体チップの上方に設けられ、下面に回路面を備えた第２の半導体チップと、前記複数の貫通配線及び前記インターポーザー基板を電気的に接続する複数の第１のバンプと、前記複数の貫通配線及び前記第２の半導体チップを電気的に接続する複数の第２のバンプとを有する。そして、前記複数の第１のバンプ、前記複数の貫通配線及び前記第２のバンプを介して前記第２の半導体チップの回路面に少なくとも１個の電源及びグランドを前記インターポーザー基板から供給する。【００１８】
本発明の第５の観点に係るチップ積層型半導体装置は、インターポーザー基板と、前記インターポーザー基板の上方に設けられ、上面に回路面及び厚膜配線を備えた第１の半導体チップと、前記第１の半導体チップの上方に設けられ、複数の貫通配線を備えたスペーサ−と、前記スペーサ−の上方に設けられ、下面に回路面を備えた第２の半導体チップと、前記複数の貫通配線及び前記厚膜配線を電気的に接続する複数の第１のバンプと、前記複数の貫通配線及び前記第２の半導体チップを電気的に接続する複数の第２のバンプと、前記インターポーザー基板と前記厚膜配線を電気的に接続するボンディングワイヤとを有する。そして、前記ボンディングワイヤ、前記厚膜配線、前記複数の第１のバンプ、前記複数の貫通配線及び前記複数の第２のバンプを介して前記第２の半導体チップの回路面に少なくとも１個の電源及びグランドを前記インターポーザー基板から供給する。【００１９】
本発明の第６の観点に係るチップ積層型半導体装置は、インターポーザー基板と、前記インターポーザー基板の上方に設けられ、複数の第１の貫通配線を備えた第１の半導体チップと、前記第１の半導体チップの上方に設けられ、複数の第２の貫通配線を備えたスペーサ−と、前記スペーサ−の上方に設けられ、下面に回路面を備えた第２の半導体チップと、前記インターポーザー基板及び前記複数の第１の貫通配線を電気的に接続する複数の第１のバンプと、前記複数の第１の貫通配線及び前記複数の第２の貫通配線を電気的に接続する複数の第２のバンプと、前記複数の第２の貫通配線及び前記第２の半導体チップを電気的に接続する複数の第３のバンプとを有する。そして、前記複数の第１のバンプ、前記複数の第１の貫通配線、前記複数の第２のバンプ、前記複数の第２の貫通配線及び前記複数の第３のバンプを介して前記第２の半導体チップの回路面に少なくとも１個の電源及びグランドを前記インターポーザー基板から供給する。【００２０】
本発明の第７の観点に係るチップ積層型半導体装置は、インターポーザー基板と、前記インターポーザー基板の上方に設けられ、上面に回路面及び厚膜配線を備えた第１の半導体チップと、前記第１の半導体チップの上方に設けられ、複数の貫通配線を備えた第２の半導体チップと、前記第２の半導体チップの上方に設けられ、下面に回路面を備えた第３の半導体チップと、前記複数の貫通配線及び前記厚膜配線を電気的に接続する複数の第１のバンプと、前記複数の貫通配線及び前記第２の半導体チップを電気的に接続する複数の第２のバンプと、前記インターポーザー基板と前記厚膜配線を電気的に接続するボンディングワイヤとを有する。そして、前記ボンディングワイヤ、前記厚膜配線、前記複数の第１のバンプ、前記複数の貫通配線及び前記複数の第２のバンプを介して前記第３の半導体チップの回路面に少なくとも１個の電源及びグランドを前記インターポーザー基板から供給する。【００２１】
前記電源及びグランドを供給する前記半導体チップごとの複数の配線は、前記半導体チップごとに並列に設けられ、前記インターポーザー基板内、前記半導体チップ内又は前記スペーサ−内の単一の配線に夫々並列に接続されていることが好ましい。
【発明の効果】
【００２２】
本発明においては、複数段に積層された半導体チップに貫通配線を用いて少なくとも１個の電源及びグランドを供給するので、半導体チップ上の各回路に個別に短い経路で電源電圧を供給することができる。このため、複数段に積層された半導体チップ同士を電気的に接続しても、配線抵抗による電圧降下等を考慮する必要はないので、半導体チップの回路構成を変えることを要せず、またコンバーター回路の搭載も要せずに使用することができ、動作安定性に優れた半導体装置を提供することができる。これは、貫通配線を介して信号を伝送した場合も同様である。
【図面の簡単な説明】
【００２３】
【図１】本発明の第１実施形態に係るチップ積層型半導体装置の断面図である。
【図２】本発明の第２の実施形態に係るチップ積層型半導体装置の断面図である。
【図３】本発明の第３の実施形態に係るチップ積層型半導体装置の断面図である。
【図４】本発明の第４の実施形態に係るチップ積層型半導体装置の断面図である。
【図５】本発明の第５の実施形態に係るチップ積層型半導体装置の断面図である。
【図６】本発明の第６の実施形態に係るチップ積層型半導体装置の断面図である。
【図７】本発明の第７の実施形態に係るチップ積層型半導体装置の断面図である。
【図８】バンプ３と厚膜配線２ｃについての実施形態を示す図である。
【図９】従来のワイヤ積層型の半導体装置の断面図である。
【図１０】従来のチップオンチップ型の半導体装置の断面図である。
【符号の説明】
【００２４】
１：インターポーザー基板
２，４：半導体チップ
２ａ，４ａ：回路面
２ｂ，４ｂ：ボンディングワイヤ
３：バンプ
５：貫通配線
６：ハンダボール
７：スペーサ−
【発明を実施するための最良の形態】
【００２５】
以下、本発明の実施の形態について、添付の図面を参照して詳細に説明する。図１は、本発明の第１実施形態に係るチップ積層型半導体装置の断面図である。インターポーザー基板１上には半導体チップ２が搭載されている。半導体チップ２の上面には回路面２ａ及び厚膜配線２ｃ（図８参照）が形成されている。半導体チップ２上には複数の貫通配線５を有する半導体チップ４が搭載されている。複数の貫通配線５の夫々の下部はバンプ３を介して半導体チップ２の厚膜配線２ｃに接続されており、貫通配線５の上部は半導体チップ４の上面に形成された回路面４ａに接続されている。半導体チップ２と半導体チップ４はバンプ３を介して接続されている。半導体チップ２の上面に形成された厚膜配線２ｃはボンディングワイヤ２ｂを介してインターポーザー基板１に接続されている。半導体チップ４の上面に形成された回路面４ａはボンディングワイヤ４ｂを介してインターポーザー基板１に接続されている。これらの全体は樹脂により封止され、パッケージ化されている。ハンダボール６は、インターポーザー基板１を他の基板に接着するとともに、インターポーザー基板１内の配線を他の基板の配線と接続する。【００２６】
次に、本発明の第１実施形態に係るチップ積層型半導体装置の動作について説明する。電源及びグランドはボンディングワイヤ２ｂを介して半導体チップ２の上面に形成された厚膜配線２ｃに供給される。厚膜配線２ｃに供給された電源及びグランドは半導体チップ２上の回路面２ｂにおける回路に供給される。また、厚膜配線２ｃに供給された電源及びグランドは、厚膜配線２ｃ、バンプ３及び貫通配線５を介して半導体チップ４の上面に形成された回路面４ａに供給される。半導体チップ２上の回路面２ａに入力される電気信号及び半導体チップ２上の回路面２ａから出力される電気信号は、ボンディングワイヤ２ｂを介してインターポーザー基板１との間で伝送がなされ、半導体チップ４上の回路面４ａに入力される電気信号及び半導体チップ４上の回路面４ａから出力される電気信号は、ボンディングワイヤ４ｂを介してインターポーザー基板１との間で伝送がなされる。【００２７】
次に、本発明の第１実施形態に係るチップ積層型半導体装置の効果について説明する。本実施形態においては、電気信号は半導体チップ２及び４とインターポーザー基板１との間で夫々ボンディングワイヤ２ｂ及び４ｂを通じて伝送される一方、上に位置する半導体チップ４に設けられた貫通配線５が、バンプ３を介して厚膜配線２ｃから電源及びグランドの供給を受けるので、上に位置する半導体チップ４の所望の箇所に電源及びグランドを短い経路で供給することが可能になるとともに、再配線が不要となるので配線抵抗が高くなるという問題が生じない。このため、半導体装置の動作安定性を高められる。従来は、半導体チップ２から半導体チップ４への電源及びグランドの供給をボンディングワイヤ又はバンプにより行っていたので、チップ内の配線抵抗による電圧降下等を考慮して再配線を行う必要が生じていた。【００２８】
次に、本発明の第２の実施形態について説明する。ただし、第２の実施形態において、第１の実施形態と同一の構成要素については、同一符号を付してその詳細な説明は省略する。【００２９】
図２は、本発明の第２の実施形態に係るチップ積層型半導体装置の断面図である。第２の実施形態に係るチップ積層型半導体装置は、上に位置する半導体チップ４がフェイスダウンに積層されている点が第１の実施形態の構成と異なる。上に位置する半導体チップ４の回路面４ａはバンプ３を介して下に位置する半導体チップ２の回路面２ａと接続されている。また、回路面４ａは、貫通配線５及びボンディングワイヤ４ｃを介してインターポーザー基板１に接続されている。全体は樹脂により封止され、パッケージ化されている。ハンダボール６は、インターポーザー基板１を他の基板に接着するとともに、インターポーザー基板１内の配線を他の基板の配線と接続する。【００３０】
本発明の第２の実施形態の動作について説明する。半導体チップ４の回路面４ａに供給される電源及びグランドはボンディングワイヤ２ｂ、厚膜配線２ｃ、バンプ３を介してインターポーザー基板１から供給される。半導体チップ４の回路面４ａに入力される電気信号及び半導体チップ４の回路面４ａから出力される電気信号は貫通配線５及びボンディングワイヤ４ｂを介してインターポーザー基板１との間で伝送がなされる。【００３１】
本発明の第２の実施形態の効果は第１の実施形態と同様である。【００３２】
次に、本発明の第３の実施形態について説明する。ただし、第３の実施形態において、第１及び第２の実施形態と同一の構成要素については、同一符号を付してその詳細な説明は省略する。【００３３】
図３は、本発明の第３の実施形態に係るチップ積層型半導体装置の断面図である。第３の実施形態に係るチップ積層型半導体装置は、下に位置する半導体チップ２に貫通配線５が設けられている点及びインターポーザー基板１と半導体チップ４を接続するボンディングワイヤが設けられていない点が第１及び第２の実施形態の構成と異なる。半導体チップ２に設けられた貫通配線５の下部はバンプ３によりインターポーザー基板１に接続され、上部はバンプ３により上に位置する半導体チップ４に接続されている。全体は樹脂により封止され、パッケージ化されている。ハンダボール６は、インターポーザー基板１を他の基板と接着するとともに、インターポーザー基板１内の配線を他の基板の配線に接続する。【００３４】
次に、本発明の第３実施形態に係るチップ積層型半導体装置の動作について説明する。半導体チップ２の電源及びグランドはボンディングワイヤ２ｂを介して厚膜配線２ｃに供給される。厚膜配線２ｃに供給された電源及びグランドは半導体チップ２上の回路面２ａにおける回路に供給される。半導体チップ４の電源及びグランドは、貫通配線５及びその上下に配置されるバンプ３を介してインターポーザー基板１から供給される。半導体チップ２に入力される電気信号及び半導体チップ２から出力される電気信号は、ボンディングワイヤ２ｃを介してインターポーザー基板１との間を伝送される。半導体チップ４に入力される電気信号及び半導体チップ４から出力される電気信号は、ボンディングワイヤ２ｃ、厚膜配線２ａ及びバンプ３を介してインターポーザー基板１との間を伝送される。又は、半導体チップ２の貫通配線５及びその上下に設けられているバンプ３を介してインターポーザー基板１との間を伝送される構成としてもよい。【００３５】
次に、本発明の第３実施形態に係るチップ積層型半導体装置の効果について説明する。本実施形態においては、半導体チップ４の電源及びグランドは、貫通配線５及びその上下に配置されるバンプ３を介してインターポーザー基板１から供給され、半導体チップ２に供給される電源及びグランドとは区別されて短い経路で供給されるので、半導体装置としての動作安定性が向上する。また、電源及びグランドは、上に配置される半導体チップ４の必要な箇所へ貫通配線５及びその上下に配置されるバンプ３を介してインターポーザー基板１から直接供給されるので、半導体チップ２の上に半導体チップ４を積層しても回路の再構成を行う必要はない。更に、異なる機能を組み合わせてシステムインパッケージを構成する場合等においては、半導体チップ４と半導体チップ２の動作電圧が異なることが多いが、たとえ両者の動作電圧が異なっても、半導体チップ２の動作電源とは区別された経路、すなわち貫通配線５及びその上下に配置されるバンプ３を介してインターポーザー基板１から直接供給する経路で、上に位置する半導体チップ４の表面に形成された回路に電源及びグランドを供給するので、下チップにコンバーターを追加する必要は生じない。更にまた、半導体チップ２及び４の間における電気信号のやり取りはバンプ３を介して行われるため、半導体装置としての出力が高速でなされるという効果もある。【００３６】
次に、本発明の第４の実施形態について説明する。ただし、第４の実施形態において、第３の実施形態と同一の構成要素については、同一符号を付してその詳細な説明は省略する。【００３７】
図４は、本発明の第４の実施形態に係るチップ積層型半導体装置の断面図である。第４の実施形態に係るチップ積層型半導体装置は、インターポーザー基板１と半導体チップ２とを接続するボンディングワイヤも設けられておらず、ボンディングワイヤが存在しない代わりに、貫通配線５の下部以外にも半導体チップ２とインターポーザー基板１との間にバンプ３が設けられている点が第３の実施形態の構成と異なる。全体は樹脂により封止され、パッケージ化されている。ハンダボール６は、インターポーザー基板１を他の基板に接着するとともに、インターポーザー基板１内の配線を他の基板の配線に接続する。【００３８】
次に、本発明の第４実施形態に係るチップ積層型半導体装置の動作について説明する。半導体チップ２の電源及びグランドは貫通配線５の下部以外に設けられた半導体チップ２とインターポーザー基板１との間のバンプ３を介して供給される。半導体チップ４の電源及びグランドは、第３実施形態と同様に、貫通配線５及びその上下に配置されるバンプ３を介してインターポーザー基板１から供給される。半導体チップ２に入力される電気信号及び半導体チップ２から出力される電気信号は、貫通配線５の下部以外に設けられた半導体チップ２とインターポーザー基板１との間のバンプ３を介してインターポーザー基板１との間を伝送される。半導体チップ４に入力される電気信号及び半導体チップ４から出力される電気信号は、貫通配線５及びその上下に配置されるバンプ３を介してインターポーザー基板１との間を伝送される。【００３９】
次に、本発明の第４実施形態に係るチップ積層型半導体装置の効果について説明する。本実施形態においては、半導体チップ４の電源及びグランドは、半導体チップ２の貫通配線５及びその上下に配置されるバンプ３を介してインターポーザー基板１から供給され、半導体チップ２に供給される経路とは異なっている。このため、半導体チップ２の上に半導体チップ４を積層しても、半導体チップ２の回路構成の変更を行う必要はない。また、半導体チップ２と半導体チップ４の動作電圧が異なってもコンバーターを半導体チップ２に設ける必要はない。従って、半導体チップ２及び４の動作電源を安定して供給することができる。また、バンプ３が、半導体チップ２に電気信号を入力する際の伝送並びに半導体チップ２から電気信号が出力される際の伝送にも用いられ、貫通配線５及びその上下のバンプ３が、半導体チップ４に電気信号を入力する際の伝送及び半導体チップ４から電気信号が出力される際の伝送にも用いられている。このため、上下のチップ間の伝送距離が短くなり、信号伝送の高速化が実現できる。更に、半導体チップ２及び半導体チップ４の間の電気信号のやり取りはバンプ３を介して行われるので、半導体装置としての出力が高速でなされるという効果もある。更にまた、ボンディングワイヤを使用していないので半導体装置全体を小型化することができる。【００４０】
次に、本発明の第５の実施形態について説明する。ただし、第５の実施形態において、第１乃至４の実施形態と同一の構成要素については、同一符号を付してその詳細な説明は省略する。【００４１】
図５は、本発明の第５の実施形態に係るチップ積層型半導体装置の断面図である。第５の実施形態に係るチップ積層型半導体装置は、半導体チップ２及び４の間に貫通配線５を有するスペーサ７が挿入されている点が第１乃至４の実施形態と異なる。全体は樹脂により封止され、パッケージ化されている。スペーサ７は電気絶縁性のある材料であればよい。ハンダボール６は、インターポーザー基板１を他の基板に接着するとともに、インターポーザー基板１内の配線を他の基板の配線に接続する。【００４２】
次に、本発明の第５実施形態に係るチップ積層型半導体装置の動作について説明する。電源及びグランドはボンディングワイヤ２ｃを介して半導体チップ２の上面に形成された厚膜配線２ａに供給される。厚膜配線２ａに供給された電源及びグランドは半導体チップ２上の回路面２ｂにおける回路に供給される。また、厚膜配線２ａ、貫通配線５の上下に設けられたバンプ３及び貫通配線５を介して半導体チップ４の下面に形成された回路面４ａに電源及びグランドが供給される。半導体チップ２上の回路面２ａに入力される電気信号及び半導体チップ２上の回路面２ａから出力される電気信号は、ボンディングワイヤ２ｂを介してインターポーザー基板１との間で伝送がなされ、半導体チップ４上の回路面４ａに入力される電気信号及び回路面４ａから出力される電気信号は、貫通配線５の上下に設けられたバンプ３、貫通配線５、厚膜配線２ａ及びボンディングワイヤ２ｃを介してインターポーザー基板１との間で伝送がなされる。【００４３】
次に、本発明の第５実施形態に係るチップ積層型半導体装置の効果について説明する。本実施形態においては、半導体チップ２及び４の間に貫通配線５を有するスペーサ７が挿入されているので、上に配置される半導体チップ４の大きさに制約を設ける必要がなくなる。スペーサ７が半導体チップ２と半導体チップ４の間の間隙を確保しているので、半導体チップ４が半導体チップ２より大きくても半導体チップ２とインターポーザー基板との間を接続するボンディングワイヤ２ｂを配置することができるからである。また、半導体チップ４に供給される電源及びグランドは、ボンディングワイヤ２ｂ、厚膜配線２ｃ、貫通配線５の上下に設けられたバンプ３及び貫通配線５を介して供給されるので、上に位置する半導体チップ４の所望の箇所に電源及びグランドを短い経路で供給することが可能になるとともに、再配線が不要となるので、再配線により配線抵抗が高くなるという問題点が生じない。このため、半導体装置の動作安定性が高められる。更に、半導体チップ２及び４の間における電気信号のやり取りは貫通配線５及び貫通配線５の上下に設けられたバンプ３を介して行われるため、半導体装置としての出力が高速でなされるという効果もある。【００４４】
次に、本発明の第６の実施形態について説明する。ただし、第６の実施形態において、第５の実施形態と同一の構成要素については、同一符号を付してその詳細な説明は省略する。【００４５】
図６は、本発明の第６の実施形態に係るチップ積層型半導体装置の断面図である。第６の実施形態に係るチップ積層型半導体装置は、半導体チップ２に貫通配線５及びその下のバンプ３を設け、且つボンディングワイヤ２ｃを削除した点が第５実施形態と異なる。全体は樹脂により封止され、パッケージ化されている。ハンダボール６は、インターポーザー基板１を他の基板と接着するとともに、インターポーザー基板１内の配線を他の基板の配線に接続する。【００４６】
次に、本発明の第６実施形態に係るチップ積層型半導体装置の動作について説明する。半導体チップ２の電源及びグランドは貫通配線５の下部以外に設けられた半導体チップ２とインターポーザー基板１との間のバンプ３を介して供給される。半導体チップ４の電源及びグランドは、半導体チップ２の貫通配線５及びスペーサ−７の貫通配線５並びにそれらの上下に配置されるバンプ３を介してインターポーザー基板１から供給される。半導体チップ２に入力される電気信号及び半導体チップ２から出力される電気信号は、貫通配線５の下部以外に設けられた半導体チップ２とインターポーザー基板１との間のバンプ３を介してインターポーザー基板１との間を伝送される。半導体チップ４に入力される電気信号及び半導体チップ４から出力される電気信号は、半導体チップ２の貫通配線５及びスペーサ−７の貫通配線５並びにそれらの上下に配置されるバンプ３を介してインターポーザー基板１との間を伝送される。【００４７】
次に、本発明の第６実施形態に係るチップ積層型半導体装置の効果について説明する。本実施形態においては、半導体チップ４の電源及びグランドは、半導体チップ２の貫通配線５及びスペーサ−７の貫通配線５並びにそれらの上下に配置されるバンプ３を介してインターポーザー基板１から供給され、半導体チップ２に供給される経路とは異なっている。このため、半導体チップ２の上に半導体チップ４を積層しても、半導体チップ２の回路構成の変更を行う必要はない。また、半導体チップ２と半導体チップ４の動作電圧が異なってもコンバーターを半導体チップ２に設ける必要はない。従って、半導体チップ２及び４の動作電源を安定して供給することができる。また、バンプ３が、半導体チップ２に電気信号を入力する際の伝送並びに半導体チップ２から電気信号が出力される際の伝送にも用いられ、半導体チップ２の貫通配線５及びスペーサ−７の貫通配線５並びにそれらの上下のバンプ３が、半導体チップ４に電気信号を入力する際の伝送及び半導体チップ４から電気信号が出力される際の伝送にも用いられている。このため、上下のチップ間の伝送距離が短くなり、信号伝送の高速化が実現できる。更に、半導体チップ２及び半導体チップ４の間の電気信号のやり取りも半導体チップ２の貫通配線５及びスペーサ−７の貫通配線５並びにそれらの上下のバンプ３を介して行われるので、半導体装置としての出力が高速でなされるという効果もある。更にまた、ボンディングワイヤを使用していないので半導体装置全体を小型化することができる。【００４８】
次に、本発明の第７の実施形態について説明する。ただし、第７の実施形態において、第１乃至６の実施形態と同一の構成要素については、同一符号を付してその詳細な説明は省略する。【００４９】
図７は、本発明の第７の実施形態に係るチップ積層型半導体装置の断面図である。第７の実施形態に係るチップ積層型半導体装置は、半導体チップ２及び４の間に貫通配線５を有する半導体チップ８が挿入されている点が第１乃至６の実施形態と異なる。全体は樹脂により封止され、パッケージ化されている。ハンダボール６は、インターポーザー基板１を他の基板と接着するとともに、インターポーザー基板１内の配線を他の基板の配線に接続する。【００５０】
本実施形態は、半導体チップを３つ積層しているが、動作及び効果は半導体チップを２つ積層した場合と基本的に同様である。ただし、３つの半導体チップを積層しているので、多数の半導体チップを高密度に積層することが可能となる。【００５１】
次に、電源及びグランドをさらに安定化させるためのバンプ３と厚膜配線２ｃについての実施形態について説明する。図８は、バンプ３と厚膜配線２ｃについての実施形態を示す図である。半導体チップ２の上には接続用のバンプがめっきにより形成されるが、バンプ３の形成と同時に厚膜配線２ｃを形成することにより、更に一層の安定動作が可能となる。バンプ３と厚膜配線２ｃを同時に形成することでバンプ３と厚膜配線２ｃの厚さは等しくなるので、厚膜配線２ｃの厚さがバンプ３の厚さよりも大きくなることはなく、厚膜配線２ｃの厚さをバンプ３の厚さとともに厚くすることが可能であるからである。厚膜配線２ｃの厚さが厚くなれば低抵抗の配線を得ることができる。また、厚膜配線２ｃの厚さとバンプ３の厚さが同じであれば、厚膜配線２ｃがバンプ３の接続の障害となることはない。更に、厚膜配線２ｃの厚さが厚ければ、流すことができる電流量が多くなるので、厚膜配線２ｃに接続する配線の数が多くなってもそれらの配線に厚膜配線２ｃは電源及びグランドを供給することが可能である。このため、積層して搭載される半導体チップの回路の変更及びインターポーザー基板内の再配線をしなくても半導体チップの上に半導体チップを積層することが可能となり、コストメリットも生じる。【００５２】
以上述べてきたように、貫通配線５は、電源及びグランドを半導体チップ上に搭載された半導体チップに供給する際の動作安定性の向上に寄与する。更に、前述のいくつかの実施形態の効果の中で述べたように、貫通配線５を電気信号の供給に使用することもでき、この場合は電極間の接続距離が短くなるため、高速化等の信号伝送特性の向上に寄与できる。【００５３】
本発明のように、貫通配線を介して電源及びグランドを半導体チップに供給することにより、ＬＳＩ内の配線引き回しによりＩＲドロップ（電源電圧の低下）が発生するようなＬＳＩチップの特定回路に最短の配線距離で電源を供給することができる。特に、チップ端部から電圧を供給した場合、チップ中央部にて、電圧降下が大きくなるが、この電圧降下を可及的に小さくするために、チップ中央部に貫通配線を設け、この貫通配線に電源又はグランドを接続することが好ましい。なお、電源及びグランドが複数設けられている場合もあるが、この場合は、貫通配線により供給する電源及びグランドは、全ての電源及びグランドではなく、一部のものであってもよい。即ち、少なくとも１個の電源及びグランドを貫通配線に接続すれば良い。又は全ての電源を貫通配線により供給してもよい。グランドについては、通常、電源電圧確保のため、電源とペアに供給される。【００５４】
また、貫通配線を介して信号を伝送してもよい。即ち、電源及びグランドに限らず、信号伝送に貫通配線を使用することができ、電源及びグランドと信号伝送とを混在させることもできる。【００５５】
また、前述の実施形態は、ＢＧＡ（ボールグリットアレイ）タイプのパッケージであるが、本発明はＱＦＰ（クワッドフラットパッケージ）タイプなどすべての積層型パッケージ対しても同様に適用することができる。
【産業上の利用可能性】
【００５６】
本発明のチップ積層型半導体装置は、ＢＧＡ及びＱＦＰ等の積層型パッケージに適用することができる。
【図１】
2005093834.tif 000002
【図２】
2005093834.tif 000003
【図３】
2005093834.tif 000004
【図４】
2005093834.tif 000005
【図５】
2005093834.tif 000006
【図６】
2005093834.tif 000007
【図７】
2005093834.tif 000008
【図８】
2005093834.tif 000009
【図９】
2005093834.tif 000010
【図１０】
2005093834.tif 000011
【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
インターポーザー基板と、前記インターポーザー基板上に２段以上に重ねて搭載された複数個の半導体チップとを有し、前記半導体チップのうち少なくとも１つは厚膜配線を有し、この半導体チップの上方に設けられた他の半導体チップの回路面に、前記厚膜配線を介して少なくとも１個の電源及びグランドが前記インターポーザー基板から供給されていることを特徴とするチップ積層型半導体装置。
【請求項２】
前記複数個の半導体チップは、上面に回路面及び前記厚膜配線を備えた第１の半導体チップと、前記第１の半導体チップの上方に設けられ複数個の貫通配線及び上面に回路面を備えた第２の半導体チップとで構成され、前記複数個の貫通配線及び前記厚膜配線の間を電気的に接続する複数のバンプと、前記インターポーザー基板と前記厚膜配線を電気的に接続するボンディングワイヤとを有し、前記ボンディングワイヤ、前記厚膜配線、前記複数のバンプ及び前記複数の貫通配線を介して前記第２の半導体チップの回路面に少なくとも１個の電源及びグランドが前記インターポーザー基板から供給されていることを特徴とする請求項１に記載のチップ積層型半導体装置。
【請求項３】
前記複数個の半導体チップは、上面に回路面及び前記厚膜配線を備えた第１の半導体チップと、前記第１の半導体チップの上方に設けられ、前記複数個の貫通配線及び下面に回路面を備えた第２の半導体チップとで構成され、前記第２の半導体チップ及び前記厚膜配線の間を電気的に接続する複数のバンプと、前記インターポーザー基板と前記厚膜配線を電気的に接続するボンディングワイヤと、前記インターポーザー基板及び前記第２の半導体チップとの間を電気的に接続する他のボンディングワイヤとを有し、前記ボンディングワイヤ、前記厚膜配線及び前記複数のバンプを介して前記第２の半導体チップの回路面に電源及びグランドが前記インターポーザー基板から供給され、前記複数の貫通配線及び前記他のボンディングワイヤを介して前記第２の半導体チップの回路面と前記インターポーザー基板との間の電気信号の伝送が行われることを特徴とする請求項１に記載のチップ積層型半導体装置。
【請求項４】
前記半導体チップと前記他の半導体チップとの間に、貫通配線が形成されたスペーサが配置されており、前記他の半導体チップの回路面に前記厚膜配線及び前記貫通配線を介して少なくとも１個の電源及びグランドが前記インターポーザー基板から供給されていることを特徴とする請求項１に記載のチップ積層型半導体装置。
【請求項５】
前記厚膜配線の厚さと前記複数のバンプの高さが同一であることを特徴とする請求項２又は３に記載のチップ積層型半導体装置。
【請求項６】
前記厚膜配線と前記複数のバンプがめっきにより形成されていることを特徴とする請求項５に記載のチップ積層型半導体装置。
【請求項７】
インターポーザー基板と、前記インターポーザー基板の上方に設けられ、複数の貫通配線を備えた第１の半導体チップと、前記第１の半導体チップの上方に設けられ、下面に回路面を備えた第２の半導体チップと、前記第１の半導体チップの回路面に少なくとも１個の電源及びグランドを供給する第１の導電部材と、前記第２の半導体チップの前記回路面に少なくとも１個の電源及びグランドを供給する第２の導電部材と、を有し、前記第１の導電部材と前記第２の導電部材とは相互に独立したルートであることを特徴とするチップ積層型半導体装置。
【請求項８】
前記第２の半導体チップの回路面に電源及びグランドを供給する前記第２の導電部材は、前記第１の半導体チップに設けた複数個の貫通配線を有し、前記複数個の貫通配線を介して前記第２の半導体チップの回路面に少なくとも１個の電源及びグランドを前記インターポーザー基板から供給することを特徴とする請求項７に記載のチップ積層型半導体装置。
【請求項９】
前記第１の半導体チップと前記第２の半導体チップとの間に複数個の貫通配線を有するスペーサーが配置されており、前記第１の半導体チップの貫通配線及び前記スペーサーの貫通配線を介して前記第２の半導体チップの回路面に少なくとも１個の電源及びグランドを前記インターポーザー基板から供給することを特徴とする請求項８に記載のチップ積層型半導体装置。
【請求項１０】
前記第１の半導体チップの回路面に電源及びグランドを供給する前記第１の導電部材は、前記第１の半導体チップに設けた厚膜配線を有し、前記厚膜配線を介して前記第１の半導体チップの回路面に少なくとも１個の電源及びグランドを前記インターポーザー基板から供給することを特徴とする請求項８又は９に記載のチップ積層型半導体装置。
【請求項１１】
前記第１の半導体チップの複数個の貫通配線及び前記インターポーザー基板を電気的に接続する複数個の第１のバンプと、前記第１の半導体チップの複数個の貫通配線及び前記第２の半導体チップを電気的に接続する複数個の第２のバンプとを有することを特徴とする請求項９に記載のチップ積層型半導体装置。
【請求項１２】
前記第１の半導体チップの前記厚膜配線は、前記第１の半導体チップの下面に設けられており、前記厚膜配線の厚さと前記第１のバンプの高さは同一であることを特徴とする請求項１１に記載のチップ積層型半導体装置。
【請求項１３】
前記第１の半導体チップの前記厚膜配線は、前記第１の半導体チップの上面に設けられており、前記厚膜配線の厚さと前記第２のバンプの高さは同一であることを特徴とする請求項１１に記載のチップ積層型半導体装置。
【手続補正２】
【補正対象書類名】明細書
【補正対象項目名】００２６
【補正方法】変更
【補正の内容】
【００２６】
次に、本発明の第１実施形態に係るチップ積層型半導体装置の動作について説明する。電源及びグランドはボンディングワイヤ２ｂを介して半導体チップ２の上面に形成された厚膜配線２ｃに供給される。厚膜配線２ｃに供給された電源及びグランドは半導体チップ２上の回路面２ａにおける回路に供給される。また、厚膜配線２ｃに供給された電源及びグランドは、厚膜配線２ｃ、バンプ３及び貫通配線５を介して半導体チップ４の上面に形成された回路面４ａに供給される。半導体チップ２上の回路面２ａに入力される電気信号及び半導体チップ２上の回路面２ａから出力される電気信号は、ボンディングワイヤ２ｂを介してインターポーザー基板１との間で伝送がなされ、半導体チップ４上の回路面４ａに入力される電気信号及び半導体チップ４上の回路面４ａから出力される電気信号は、ボンディングワイヤ４ｂを介してインターポーザー基板１との間で伝送がなされる。
【手続補正３】
【補正対象書類名】明細書
【補正対象項目名】００２９
【補正方法】変更
【補正の内容】
【００２９】
図２は、本発明の第２の実施形態に係るチップ積層型半導体装置の断面図である。第２の実施形態に係るチップ積層型半導体装置は、上に位置する半導体チップ４がフェイスダウンに積層されている点が第１の実施形態の構成と異なる。上に位置する半導体チップ４の回路面４ａはバンプ３を介して下に位置する半導体チップ２の回路面２ａと接続されている。また、回路面４ａは、貫通配線５及びボンディングワイヤ４ｂを介してインターポーザー基板１に接続されている。全体は樹脂により封止され、パッケージ化されている。ハンダボール６は、インターポーザー基板１を他の基板に接着するとともに、インターポーザー基板１内の配線を他の基板の配線と接続する。
【手続補正４】
【補正対象書類名】明細書
【補正対象項目名】００３４
【補正方法】変更
【補正の内容】
【００３４】
次に、本発明の第３実施形態に係るチップ積層型半導体装置の動作について説明する。半導体チップ２の電源及びグランドはボンディングワイヤ２ｂを介して厚膜配線２ｃに供給される。厚膜配線２ｃに供給された電源及びグランドは半導体チップ２上の回路面２ａにおける回路に供給される。半導体チップ４の電源及びグランドは、貫通配線５及びその上下に配置されるバンプ３を介してインターポーザー基板１から供給される。半導体チップ２に入力される電気信号及び半導体チップ２から出力される電気信号は、ボンディングワイヤ２ｂを介してインターポーザー基板１との間を伝送される。半導体チップ４に入力される電気信号及び半導体チップ４から出力される電気信号は、ボンディングワイヤ２ｂ、厚膜配線２ｃ及びバンプ３を介してインターポーザー基板１との間を伝送される。又は、半導体チップ２の貫通配線５及びその上下に設けられているバンプ３を介してインターポーザー基板１との間を伝送される構成としてもよい。
【手続補正５】
【補正対象書類名】明細書
【補正対象項目名】００３９
【補正方法】変更
【補正の内容】
【００３９】
次に、本発明の第４実施形態に係るチップ積層型半導体装置の効果について説明する。本実施形態においては、半導体チップ４の電源及びグランドは、半導体チップ２の貫通配線５及びその上下に配置されるバンプ３を介してインターポーザー基板１から供給され、半導体チップ２に供給される経路とは異なっている。このため、半導体チップ２の上に半導体チップ４を積層しても、半導体チップ２の回路構成の変更を行う必要はない。また、半導体チップ２と半導体チップ４の動作電圧が異なってもコンバーターを半導体チップ２に設ける必要はない。従って、半導体チップ２及び４の動作電位を安定して供給することができる。また、バンプ３が、半導体チップ２に電気信号を入力する際の伝送並びに半導体チップ２から電気信号が出力される際の伝送にも用いられ、貫通配線５及びその上下のバンプ３が、半導体チップ４に電気信号を入力する際の伝送及び半導体チップ４から電気信号が出力される際の伝送にも用いられている。このため、上下のチップ間の伝送距離が短くなり、信号伝送の高速化が実現できる。更に、半導体チップ２及び半導体チップ４の間の電気信号のやり取りはバンプ３を介して行われるので、半導体装置としての出力が高速でなされるという効果もある。更にまた、ボンディングワイヤを使用していないので半導体装置全体を小型化することができる。
【手続補正６】
【補正対象書類名】明細書
【補正対象項目名】００４２
【補正方法】変更
【補正の内容】
【００４２】
次に、本発明の第５実施形態に係るチップ積層型半導体装置の動作について説明する。電源及びグランドはボンディングワイヤ２ｂを介して半導体チップ２の上面に形成された厚膜配線２ｃに供給される。厚膜配線２ｃに供給された電源及びグランドは半導体チップ２上の回路面２ａにおける回路に供給される。また、厚膜配線２ｃ、貫通配線５の上下に設けられたバンプ３及び貫通配線５を介して半導体チップ４の下面に形成された回路面４ａに電源及びグランドが供給される。半導体チップ２上の回路面２ａに入力される電気信号及び半導体チップ２上の回路面２ａから出力される電気信号は、ボンディングワイヤ２ｂを介してインターポーザー基板１との間で伝送がなされ、半導体チップ４上の回路面４ａに入力される電気信号及び回路面４ａから出力される電気信号は、貫通配線５の上下に設けられたバンプ３、貫通配線５、厚膜配線２ｃ及びボンディングワイヤ２ｂを介してインターポーザー基板１との間で伝送がなされる。
【手続補正７】
【補正対象書類名】明細書
【補正対象項目名】００４５
【補正方法】変更
【補正の内容】
【００４５】
図６は、本発明の第６の実施形態に係るチップ積層型半導体装置の断面図である。第６の実施形態に係るチップ積層型半導体装置は、半導体チップ２に貫通配線５及びその下のバンプ３を設け、且つボンディングワイヤ２ｂを削除した点が第５実施形態と異なる。全体は樹脂により封止され、パッケージ化されている。ハンダボール６は、インターポーザー基板１を他の基板と接着するとともに、インターポーザー基板１内の配線を他の基板の配線に接続する。
【国際調査報告】
2005093834.tif 000012
2005093834.tif 000013
2005093834.tif 000014
2005093834.tif 000015